(57)【要約】【課題】導光板への光の入射量を安定させることにより、光の利用効率を向上させることが可能な表示装置を提供する。【解決手段】このテレビジョン装置（表示装置）１００は、液晶セル１１と、光源部５と、光源部５からの光が入射する入射端面４ａを含み、入射端面４ａから入射した光を液晶セル１１に導光する導光板４と、光源部５を固定的に保持するヒートシンク６と、入射端面４ａと光源部５との間の距離を所定間隔に維持した状態で、導光板４の入射端面４ａ側とヒートシンク６とを一体的に固定するための板状固定部材７とを備えている。【選択図】図８
2015191082.tif 000002
【特許請求の範囲】
【請求項１】
表示部と、
光源部と、
前記光源部からの光が入射する入射端面を含み、前記入射端面から入射した光を前記表示部に導光する導光板と、
前記光源部を固定的に保持するヒートシンクと、
前記入射端面と前記光源部との間の距離を所定間隔に維持した状態で、前記導光板の前記入射端面側と前記ヒートシンクとを一体的に固定するための固定部材とを備えた、表示装置。
【請求項２】
前記ヒートシンクを前記導光板の前記入射端面に直交する第１方向に移動可能に支持するリアフレームをさらに備え、
前記ヒートシンクは、前記導光板の膨張または収縮による前記入射端面の前記第１方向への移動に伴って、前記所定間隔を維持しながら前記リアフレームに対して移動するように構成されている、請求項１に記載の表示装置。
【請求項３】
前記固定部材が前記ヒートシンクとの間に前記導光板の前記入射端面側を挟み込んだ状態で前記ヒートシンクに取り付けられることにより、前記導光板の前記入射端面側と前記ヒートシンクとは、互いに一体的に固定されるように構成されている、請求項１または２に記載の表示装置。
【請求項４】
前記導光板の前記入射端面と前記光源部との間に配置され、前記入射端面と前記光源部との間の距離を前記所定間隔に維持するスペーサ部と、
前記導光板の前記入射端面を前記スペーサ部側に向けて付勢する付勢部材とをさらに備えた、請求項１〜３に記載の表示装置。
【請求項５】
前記固定部材は、前記ヒートシンクに当接する前記導光板の面と反対側の前記導光板の面に当接し、前記導光板の前記入射端面に沿う方向に延びる板状固定部材を含み、
前記板状固定部材は、前記導光板に対して前記ヒートシンク側に押圧力を加えることにより、前記導光板の前記入射端面側と前記ヒートシンクとを一体的に固定するように構成されている、請求項１〜４のいずれか１項に記載の表示装置。
【請求項６】
前記固定部材は、前記ヒートシンクに係合する第１係合部と、前記導光板に係合する第２係合部とを含み、
前記ヒートシンクは、前記固定部材が挿入され、取り付けられる開口部を含み、
前記固定部材は、前記開口部に挿入されることによって、前記ヒートシンクに前記第１係合部を係合させるとともに、前記導光板に前記第２係合部を係合させることにより、前記導光板の前記入射端面側と前記ヒートシンクとを一体的に固定するように構成されている、請求項１〜４のいずれか１項に記載の表示装置。
【請求項７】
前記導光板の前記入射端面と前記光源部との間に配置され、前記入射端面と前記光源部との間の距離を前記所定間隔に維持する前記スペーサ部をさらに備え、
前記固定部材は、前記スペーサ部としても機能するように構成されている、請求項６に記載の表示装置。
【請求項８】
前記ヒートシンクの端部は、前記導光板の前記入射端面および前記入射端面近傍の上面を覆うようにＵ字状に形成されている、請求項６または７に記載の表示装置。
【発明の詳細な説明】
【技術分野】
【０００１】
この発明は、表示装置に関し、特に、ヒートシンクを備える表示装置に関する。
【背景技術】
【０００２】
従来、ヒートシンクを備える表示装置が知られている（たとえば、特許文献１参照）。
【０００３】
上記特許文献１には、表示部と、光源部と、光源部からの光が入射する入射端面を含み、入射端面からの光を表示部に導光する導光板と、光源部を固定的に保持するヒートシンクとを備えた表示装置が開示されている。
【先行技術文献】
【特許文献】
【０００４】
【特許文献１】特開２０１３−１８２８８４号公報
【発明の概要】
【発明が解決しようとする課題】
【０００５】
しかしながら、上記特許文献１の表示装置では、導光板が熱により膨張または収縮した場合に、導光板の入射端面の位置が移動することにより、導光板の入射端面と光源部との間隔が変化し、導光板への光の入射量が安定しないため、光の利用効率が悪いという問題点がある。
【０００６】
この発明は、上記のような課題を解決するためになされたものであり、この発明の１つの目的は、導光板への光の入射量を安定させることにより、光の利用効率を向上させることが可能な表示装置を提供することである。
【課題を解決するための手段】
【０００７】
この発明の一の局面による表示装置は、表示部と、光源部と、光源部からの光が入射する入射端面を含み、入射端面から入射した光を表示部に導光する導光板と、光源部を固定的に保持するヒートシンクと、入射端面と光源部との間の距離を所定間隔に維持した状態で、導光板の入射端面側とヒートシンクとを一体的に固定するための固定部材とを備えている。
【０００８】
この発明の一の局面による表示装置では、上記のように、入射端面と光源部との間の距離を所定間隔に維持した状態で、導光板の入射端面側とヒートシンクとを一体的に固定するための固定部材を設けることによって、固定部材により導光板の入射端面側とヒートシンクとが一体的に固定されるので、導光板が熱により膨張または収縮した場合にも、入射端面と光源部との間の距離を所定間隔に維持することができる。これにより、導光板への光の入射量を安定させることができるため、表示装置は、光の利用効率を向上させることができる。
【０００９】
上記一の局面による表示装置において、好ましくは、ヒートシンクを導光板の入射端面に直交する第１方向に移動可能に支持するリアフレームをさらに備え、ヒートシンクは、導光板の膨張または収縮による入射端面の第１方向への移動に伴って、所定間隔を維持しながらリアフレームに対して移動するように構成されている。このように構成すれば、導光板が熱により膨張または収縮した場合に、導光板の入射端面側のヒートシンクをリアフレームに対して安定して移動させることができる。
【００１０】
上記一の局面による表示装置において、好ましくは、固定部材がヒートシンクとの間に導光板の入射端面側を挟み込んだ状態でヒートシンクに取り付けられることにより、導光板の入射端面側とヒートシンクとは、互いに一体的に固定されるように構成されている。このように構成すれば、固定部材とヒートシンクとにより導光板が挟持された状態で、ヒートシンクと導光板とが固定されるので、ヒートシンクと導光板とを安定的に一体的に固定することができる。
【００１１】
上記一の局面による表示装置において、好ましくは、導光板の入射端面と光源部との間に配置され、入射端面と光源部との間の距離を所定間隔に維持するスペーサ部と、導光板の入射端面スペーサ部側に向けて付勢する付勢部材とをさらに備えている。このように構成すれば、光源部を固定的に保持するヒートシンクと導光板の入射端面側とを固定部材により一体的に固定した状態で、付勢部材により導光板の入射端面がスペーサ部側に向けて付勢されるので、導光板の入射端面と光源部との間の距離を所定間隔に維持するスペーサの機能を確実に発揮させることができる。
【００１２】
上記一の局面による表示装置において、好ましくは、固定部材は、ヒートシンクに当接する導光板の面と反対側の導光板の面に当接し、導光板の入射端面に沿う方向に延びる板状固定部材を含み、板状固定部材は、導光板に対してヒートシンク側に押圧力を加えることにより、導光板の入射端面側とヒートシンクとを一体的に固定するように構成されている。このように構成すれば、板状固定部材を導光板に対して確実に面接触させることができるので、導光板の入射端面側とヒートシンクとの固定状態をより安定化させることができる。
【００１３】
上記一の局面による表示装置において、好ましくは、固定部材は、ヒートシンクに係合する第１係合部と、導光板に係合する第２係合部とを含み、ヒートシンクは、固定部材が挿入され、取り付けられる開口部を含み、固定部材は、開口部に挿入されることによって、ヒートシンクに第１係合部を係合させるとともに、導光板に第２係合部を係合させることにより、導光板の入射端面側とヒートシンクとを一体的に固定するように構成されている。このように構成すれば、ヒートシンクの開口部に固定部材を挿入するだけで、第１係合部と第２係合部とが、それぞれヒートシンクと導光板とに係合するので、ヒートシンクと導光板とを容易に係合させることができる。また、固定部材自体によりヒートシンクと導光板とが係合されるので、固定部材を取り付けるための部材（たとえば、ねじ）を削減することができる。
【００１４】
この場合、好ましくは、導光板の入射端面と光源部との間に配置され、入射端面と光源部との間の距離を所定間隔に維持するスペーサ部をさらに備え、固定部材は、スペーサ部としても機能するように構成されている。このように構成すれば、固定部材を、スペーサ部としても機能させることができるので、固定部材とスペーサ部とを別個に設ける構成と比較して、部品点数を削減することができる。
【００１５】
上記固定部材が第１係合部と第２係合部とを有する構成において、好ましくは、ヒートシンクの端部は、導光板の入射端面および入射端面近傍の上面を覆うようにＵ字状に形成されている。このように構成すれば、導光板の入射端面および入射端面近傍の上面がＵ字状のヒートシンクの端部により覆われるので、ヒートシンクの端部を、光源部からの光を導光板に向けて反射するリフレクタとしても機能させることができる。これにより、光の利用効率をさらに向上させることができる。
【発明の効果】
【００１６】
本発明によれば、上記のように、導光板への光の入射量を安定させることにより、光の利用効率を向上させることが可能な表示装置を提供することができる。
【図面の簡単な説明】
【００１７】
【図１】本発明の第１〜第３実施形態によるテレビジョン装置を前方から見た全体斜視図である。
【図２】本発明の第１実施形態によるテレビジョン装置の表示モジュールおよびリアフレームを前方から見た分解斜視図である。
【図３】本発明の第１実施形態によるテレビジョン装置の光源部を示した斜視図である。
【図４】本発明の第１実施形態によるテレビジョン装置のリアフレームに導光板を位置決めして取り付ける状態を示した斜視図である。
【図５】図４のリアフレームおよび導光板の部分拡大図である。
【図６】本発明の第１実施形態によるテレビジョン装置のヒートシンクを示した斜視図である。
【図７】本発明の第１実施形態によるテレビジョン装置の板状固定部材を示した斜視図である。
【図８】本発明の第１実施形態によるテレビジョン装置の板状固定部材により導光板とヒートシンクとを固定する状態を示した斜視図である。
【図９】本発明の第１実施形態によるテレビジョン装置の板状固定部材をヒートシンクに取り付けてリアフレーム上に配置した状態を示した斜視図である。
【図１０】本発明の第１実施形態によるテレビジョン装置の板状固定部材により導光板とヒートシンクとを固定してリアフレーム上に配置した状態を示した斜視図である。
【図１１】図１０の４００−４００線に沿った模式的な断面図である。
【図１２】本発明の第２実施形態によるテレビジョン装置の固定スペーサ部材により導光板とヒートシンクとを固定する状態を示した斜視図である。
【図１３】図１２の５００−５００線に沿った模式的な断面図である。
【図１４】本発明の第３実施形態によるテレビジョン装置の表示モジュールおよびリアフレームを前方から見た分解斜視図である。
【発明を実施するための形態】
【００１８】
以下、本発明の実施形態を図面に基づいて説明する。
【００１９】
（第１実施形態）
図１〜図１１を参照して、本発明の第１実施形態によるテレビジョン装置１００の構成について説明する。以下では、テレビジョン装置１００に対して画像が表示される側を前方（Ｙ１方向）とし、前方（Ｙ１方向）の反対側を後方（Ｙ２方向）として説明し、この前方および後方に沿う方向を前後方向（Ｙ方向）とする。また、この前後方向と直交する方向を横方向（Ｘ方向）および上下方向（Ｚ方向）とする。なお、テレビジョン装置１００は、本発明の「表示装置」の一例である。また、横方向は、本発明の「第１方向」の一例である。
【００２０】
本発明の第１実施形態によるテレビジョン装置１００は、図１に示すように、表示モジュール１と、表示モジュール１を前方（Ｙ１方向）から覆うフロントキャビネット（前側筐体）２と、表示モジュール１を後方（Ｙ２方向）から覆うリアフレーム３（後側筐体）とを備えている。
【００２１】
図２に示すように、表示モジュール１は、前方側（Ｙ１方向側）の面に表示面１１ａを有する液晶セル１１と、液晶セル１１を前方（Ｙ１方向）から保持するベゼル１２と、液晶セル１１を後方（Ｙ２方向）から保持するモールドフレーム１３と、各種の光学シート１４と、導光板４と、反射シート４１と、光源部５と、ヒートシンク６と、板状固定部材７とを含んでいる。なお、液晶セル１１は、本発明の「表示部」の一例である。また、板状固定部材７は、本発明の「固定部材」の一例である。
【００２２】
ベゼル１２は、モールドフレーム１３の前方（Ｙ１方向）から液晶セル１１を挟んだ状態で、モールドフレーム１３に取り付けられるように構成されている。モールドフレーム１３は、樹脂製の枠状部材であり、液晶セル１１の他、背面側に光学シート１４を保持する。また、モールドフレーム１３は、フロントキャビネット２の内方側に配置される。光学シート１４は、拡散板やその他の機能性シートなどであり、複数設けられている。光源部５は、導光板４の横方向（Ｘ方向）の両端部近傍にそれぞれ設けられている。導光板４は、光学シート１４の後方側（Ｙ２方向側）に配置されている。また、導光板４は、横方向（Ｘ方向）の両端部に光源部５からの光が入射する入射端面４ａをそれぞれ有している。また、導光板４は、光源部５から出射され、導光板４の入射端面４ａから入射した光を液晶セル１１に導光するように構成されている。
【００２３】
導光板４の入射端面４ａは、横方向（Ｘ方向）における導光板４の両端面にそれぞれ設けられている。また、テレビジョン装置１００には、両方の入射端面４ａ側に、それぞれ、光源部５と、ヒートシンク６と、板状固定部材７とが設けられている。反射シート４１は、導光板４の後方側（Ｙ２方向側）に配置され、光源部５からの光を導光板４側（液晶セル１１側）に反射するように構成されている。また、ヒートシンク６は、導光板４の近傍にそれぞれ設けられている。また、ヒートシンク６は、後述する支持部６４（図６参照）により、ヒートシンク６の前面側（Ｙ１方向の面側）において導光板４および反射シート４１を支持している。
【００２４】
ここで、第１実施形態では、板状固定部材７は、導光板４の入射端面４ａと光源部５との間の距離を所定間隔（Ｄ１−Ｄ２）（図１１参照）に維持した状態で、導光板４の入射端面４ａ側とヒートシンク６とを一体的に固定するように構成されている。詳細については後述する。
【００２５】
このテレビジョン装置１００は、光源部５が導光板４の端部側に配置される、いわゆるエッジライト方式（サイドライト方式）の液晶テレビジョン装置である。なお、Ｘ１方向側およびＸ２方向側の光源部５とヒートシンク６と板状固定部材７とは、互いに同様の構成を有している。そこで、以下では、光源部５とヒートシンク６と板状固定部材７とについては、Ｘ２方向側の構成について説明し、Ｘ１方向側の構成の説明を省略する。また、以下では、導光板４に対してＸ２方向側の光源部５が配置される側を外側（Ｘ２方向側）、その反対を内側（Ｘ１方向側）とする。
【００２６】
図３に示すように、光源部５は、光を出射するＬＥＤ５１と、ＬＥＤ５１が実装される実装面５２ａを有する実装基板５２とを含んでいる。また、実装基板５２は、平板状に形成されている。また、実装基板５２は、導光板４の入射端面４ａに沿って上下方向（Ｚ方向）に伸びるように形成されている。また、実装基板５２は、導光板４の入射端面４ａに対して平行に配置されている。また、実装基板５２は、後述するヒートシンク６のスペーサ部６５（厚みＤ１）（図１１参照）により導光板４（入射端面４ａ）との間隔が一定（Ｄ１）(図１１参照)に保たれるように構成されている。
【００２７】
ＬＥＤ５１は、実装基板５２のＸ１方向側の実装面５２ａ上に上下方向（Ｚ方向）に複数並ぶように配置されている。また、実装基板５２と導光板４（入射端面４ａ）との間隔が一定（Ｄ１）に保たれることにより、ＬＥＤ５１は、導光板４（入射端面４ａ）との距離が所定間隔（Ｄ１−Ｄ２）に維持されるように構成されている。なお、所定間隔（Ｄ１−Ｄ２）は、約０．１ｍｍに設定されている。
【００２８】
図２、図４および図５に示すように、導光板４は、横方向（Ｘ方向）の略中央の位置においてリアフレーム３に対して位置決めされた状態で、リアフレーム３に支持されるように構成されている。具体的には、導光板４は、一対の切欠係合部４ｂを含んでいる。また、一対の切欠係合部４ｂは、横方向（Ｘ方向）における略中央の位置の上下方向（Ｚ方向）側の端部にそれぞれ形成されている。この切欠係合部４ｂにリアフレーム３の後述する凸状係合部３２が係合することにより、導光板４は、リアフレーム３に対する横方向（Ｘ方向）の位置が決められるように構成されている。このため、導光板４は、リアフレーム３の横方向（Ｘ方向）における略中央の位置を基準として、左右両方向（Ｘ１方向およびＸ２方向）に均等に膨張または収縮するように構成されている。なお、反射シート４１にも、リアフレーム３の切欠係合部４ｂに対応する位置に、切欠係合部４ｂと同形状の切欠きが形成されている。これにより、反射シート４１も、導光板４と同様にリアフレーム３に対して位置決めされるように構成されている。
【００２９】
また、図２および図４に示すように、導光板４には、短手方向の両端面（Ｚ方向端面）のそれぞれの両隅（四隅部）に短手方向に突出する凸部４ｃが形成されている。この凸部４ｃは、図８に示すように、ヒートシンク６に取り付けられる後述する付勢部材８により光源部５側に付勢されるように構成されている。
【００３０】
また、図８に示すように、ヒートシンク６は、光源部５を固定的に保持するように構成されている。具体的には、ヒートシンク６は、導光板４と平行に配置される平板部６１と、平板部６１の外側（Ｘ２方向側）の端部から前方（Ｙ１方向）に向けて立ち上がり、実装基板５２が取り付けられる実装基板取付部６２とを含んでいる。
【００３１】
ヒートシンク６の実装基板取付部６２は、光源部５に対して外側（Ｘ２方向側）に配置されている。また、実装基板取付部６２は、内側の面（Ｘ１方向側の面）に貼り付けられた放熱テープ５３（図１１参照）を介して実装基板５２（光源部５）を固定的に保持するように構成されている。
【００３２】
図６に示すように、ヒートシンク６の平板部６１は、リアフレーム３（図９参照）に係合される孔部６３を有している。孔部６３は、３つ設けられ、それぞれが上下方向（Ｚ方向）に互いに所定間隔離間して並ぶように配置されている。孔部６３は、横方向（Ｘ方向）に延びる細長状のレール部６３ａと、レール部６３ａの外側（Ｘ２方向側）に形成され、リアフレーム３の一部を導入する導入部６３ｂとから構成されている。また、孔部６３は、レール部６３ａと導入部６３ｂとにより、全体として、Ｔ字形状に形成されている。また、ヒートシンク６は、孔部６３を介してリアフレーム３の後述するフックガイド部３１（図９参照）と係合することにより、リアフレーム３に対してレール部６３ａの延びる横方向（Ｘ方向）に移動可能に構成されている。
【００３３】
また、ヒートシンク６は、ヒートシンク６の平板部６１の前側表面（Ｙ１方向側の面）に配置される支持部６４と、スペーサ部６５とを含んでいる。
【００３４】
ヒートシンク６の支持部６４は、上下方向（Ｚ方向）に延びる棒状に形成され、実装基板取付部６２の近傍に配置されている。また、図８および図１１に示すように、支持部６４は、導光板４と反射シート４１とを後方側（Ｙ２方向側）から支持するように構成されている。また、支持部６４は、ヒートシンク６が移動した場合に、反射シート４１の光源部５側（外側（Ｘ２方向側））の端部が支持部６４に当接するのを防止するための所定の隙間Ｓ（図１１参照）を反射シート４１との間に有している。
【００３５】
また、図８および図１１に示すように、支持部６４は導光板４を支持する導光板支持部６４ａと、導光板支持部６４ａの後方側（Ｙ２方向側）において反射シート４１を支持する反射シート支持部６４ｂとを含み、導光板支持部６４ａと反射シート支持部６４ｂとにより２段の階段状に形成されている。また、図１１に示すように、導光板支持部６４ａと反射シート支持部６４ｂとの前後方向（Ｙ方向）における高さの差Ｔ１は、反射シート４１の前後方向（Ｙ方向）における厚みＴ２よりも大きい。したがって、反射シート４１は、導光板４および支持部６４により挟まれて前後方向（Ｙ方向）に押圧された状態で保持されることがないように構成されている。
【００３６】
図６に示すように、ヒートシンク６のスペーサ部６５は、平板状に形成されるとともに、棒状の支持部６４の両端部のそれぞれから前方（Ｙ１方向）に突出するように形成されている。また、図１１に示すように、スペーサ部６５は、ヒートシンク６に光源部５が取り付けられた状態で、実装基板５２のＬＥＤ５１を実装する実装面５２ａと、導光板４の入射端面４ａとにそれぞれ接触している。また、スペーサ部６５は、実装面５２ａと導光板４の入射端面４ａとの横方向（Ｘ方向）における間隔に対応するスペーサ部６５の厚みＤ１がＬＥＤ５１の横方向（Ｘ方向）の厚みＤ２よりも大きく、かつ、導光板４の入射端面４ａとＬＥＤ５１とを所定間隔（Ｄ１−Ｄ２）に近接させた状態で維持するように構成されている。すなわち、スペーサ部６５は、横方向（Ｘ方向）においてＬＥＤ５１よりも厚く形成されることにより、ＬＥＤ５１と導光板４（入射端面４ａ）との距離を保ち、互いに当接させないように構成されている。
【００３７】
図１０に示すように、ヒートシンク６は、取り外し可能な付勢部材８を取り付けるための突出部６６を含んでいる。突出部６６は、ヒートシンク６の平板部６１から前方（Ｙ１方向）に突出するように形成されている。また、突出部６６は、導光板４の凸部４ｃの内側（Ｘ１方向側）端面の近傍に配置されている。
【００３８】
付勢部材８は、シリコンなどの弾性部材により形成されている。また、付勢部材８は、突出部６６に取り付けるための孔部（図示せず）を有している。また、付勢部材８は、孔部に突出部６６を挿入されることにより、ヒートシンク６に固定的に取り付けられるように構成されている。また、取り付けの際に、付勢部材８は、導光板４の凸部４ｃの内側端面（Ｘ１方向側端面）に当接して、圧縮されるように構成されている。その結果、付勢部材８は、導光板４の入射端面４ａをスペーサ部６５側（外側（Ｘ２方向側）に向けて）に向けて付勢するように構成されている。これにより、テレビジョン装置１００は、導光板４の入射端面４ａと光源部５との間の距離を所定間隔に維持するように構成されている。
【００３９】
図８に示すように、ヒートシンク６の平板部６１は、板状取付部材７の取り付けに用いられるねじ孔６１ａを有している。ねじ孔６１ａは、ヒートシンク６の実装基板取付部６２の端部近傍に形成されている。
【００４０】
図７に示すように、板状固定部材７は、上下方向（Ｚ方向）に延びる板状の長板部７１と、長板部７１の両端部に設けられるヒートシンク６（図８参照）への取り付けに用いられる取付部７２とを有している。取付部７２は、ねじ９０を配置するための貫通孔７２ａを有している。また、図８および図１１に示すように、板状固定部材７は、ヒートシンク６との間に導光板４の入射端面４ａ側（Ｘ方向の端部近傍部分）を挟み込んだ状態でヒートシンク６に取り付けられている。これにより、板状固定部材７は、導光板４の入射端面４ａ側とヒートシンク６とを、互いに一体的に固定するように構成されている。
【００４１】
具体的には、図１１に示すように、板状固定部材７の長板部７１は、ヒートシンク６に当接する導光板４の面と反対側（Ｙ１方向側）の導光板４の面に当接している。詳細には、長板部７１は、導光板支持部６４ａとＹ方向において対向する部分が導光板４の前面（Ｙ１方向側の面）と当接するように構成されている。また、長板部７１は、導光板４の入射端面４ａに沿う方向（Ｚ方向）に延びるように構成されている。また、長板部７１は、取付部７２を介してヒートシンク６に取り付けられた状態で、導光板４に押圧力を加えるように構成されている。また、板状固定部材７は、導光板４に対してヒートシンク６側に押圧力を加えることにより、導光板４の入射端面４ａとヒートシンク６とを一体的に固定するように構成されている。これにより、導光板４とヒートシンク６とは、互いに所定間隔（Ｄ１−Ｄ２）離間した状態で一体的に固定される。
【００４２】
板状固定部材７の長板部７１は、導光板４のＺ方向の略全長（入射端面４ａの略全長）にわたって設けられ、ＬＥＤ５１と入射端面４ａの前面側領域を覆うように形成されている。これにより、板状固定部材７は、光源部５から受けた光を導光板４側に反射するように構成されている。すなわち、板状固定部材７は、リフレクタとしても機能するように構成されている。
【００４３】
図４に示すように、リアフレーム３は、ヒートシンク６の外側に配置されている。すなわち、リアフレーム３は、ヒートシンク６を後方（Ｙ２方向）かつ側方（Ｘ方向およびＺ方向）から覆うように配置されている。
【００４４】
また、図９および図１１に示すように、リアフレーム３は、フックガイド部３１を含んでいる。フックガイド部３１は、リアフレーム３の内表面側（Ｙ１方向側の面）に設けられている。また、リアフレーム３は、フックガイド部３１のガイドにより、ヒートシンク６を導光板４の入射端面４ａに直交する横方向（Ｘ方向）に移動可能なように支持している。これにより、ヒートシンク６は、導光板４の膨張または収縮による入射端面４ａの横方向への移動に伴って、所定間隔を維持しながらリアフレーム３に対して移動するように構成されている。
【００４５】
具体的には、リアフレーム３には、ヒートシンク６の孔部６３に対応する位置に、前方（Ｙ１方向）に突出するとともに、ヒートシンク６の孔部６３に係合するＴ字形状（図６参照）のフックガイド部３１が形成されている。また、フックガイド部３１は、前方（Ｙ１方向）の先端がヒートシンク６の平板部６１と平行な板状に形成されている。また、フックガイド部３１は、ヒートシンク６の導入部６３ｂを通してヒートシンク６が導入され、ヒートシンク６が内側方向（Ｘ２方向）のレール部６３ａ側に移動され、ヒートシンク６と係合するように構成されている。そして、リアフレーム３は、ヒートシンク６の横方向（Ｘ方向）に延びるレール部６３ａをフックガイド部３１の根本部に沿って移動させることにより、ヒートシンク６を横方向（Ｘ方向）にスライド移動させるように構成されている。
【００４６】
また、図５に示すように、リアフレーム３は、凸状係合部３２を含んでいる。凸状係合部３２は、Ｙ１方向に突出する円柱状に形成されている。また、凸状係合部３２は、前方（Ｙ１方向）から見て、導光板４の２つの切欠係合部４ｂに対応する位置にそれぞれ設けられている。また、凸状係合部３２には、前方側（Ｙ１方向側）から切欠係合部４ｂが挿入される。これにより、凸状係合部３２に切欠係合部４ｂが係合するように構成されている。また、リアフレーム３は、凸状係合部３２に導光板４の切欠係合部４ｂが係合することにより、導光板４を横方向（Ｘ方向）において位置決めするように構成されている。
【００４７】
次に、図１１を参照して、導光板４の膨張および収縮に伴う、ヒートシンク６および光源部５の移動について説明する。
【００４８】
上述の通り、導光板４は、切欠係合部４ｂ（図４参照）とリアフレーム３の凸状係合部３２（図４参照）との係合により、長手方向（Ｘ方向）の略中央位置において、リアフレーム３に対して位置決めされている。また、導光板４の入射端面４ａ側と、ヒートシンク６とは一体的に固定されている。また、リアフレーム３のフックガイド部３１と、ヒートシンク６の孔部６３とが係合している。
【００４９】
この状態で、導光板４が熱により膨張すると、Ｘ２方向側の入射端面４ａは、図１１に示すように、長手方向（Ｘ方向）の略中央位置を基準として外側（Ｘ２方向側）に移動される。この際、ヒートシンク６のレール部６３ａが、リアフレーム３のフックガイド部３１の根本部に沿ってスライド移動（ガイド）される。これにより、ヒートシンク６および光源部５が入射端面５ａと一体でＸ２方向に移動される。なお、導光板４が収縮する場合は、この逆方向の動作となる。
【００５０】
第１実施形態では、以下のような効果を得ることができる。
【００５１】
第１実施形態では、上記のように、入射端面４ａと光源部５との間の距離を所定間隔（Ｄ１−Ｄ２）（図１１参照）に維持した状態で、導光板４の入射端面４ａ側とヒートシンク６とを一体的に固定するための板状固定部材７を設けることによって、板状固定部材７により導光板４の入射端面４ａ側とヒートシンク６とが一体的に固定されるので、導光板４が熱により膨張または収縮した場合にも、入射端面４ａと光源部５との間の距離を所定間隔に維持することができる。これにより、導光板４への光の入射量を安定させることができるため、第１実施形態によるテレビジョン装置１００は、光の利用効率を向上させることができる。
【００５２】
第１実施形態では、上記のように、ヒートシンク６を導光板４の入射端面４ａに直交する横方向に移動可能に支持するリアフレーム３を設け、ヒートシンク６を、導光板４の膨張または収縮による入射端面４ａの横方向への移動に伴って、所定間隔を維持しながらリアフレーム３に対して移動するように構成する。これにより、導光板４が熱により膨張または収縮した場合に、導光板４の入射端面４ａ側のヒートシンク６をリアフレーム３に対して安定して移動させることができる。
【００５３】
第１実施形態では、上記のように、板状固定部材７がヒートシンク６との間に導光板４の入射端面４ａ側を挟み込んだ状態でヒートシンク６に取り付けられることにより、導光板４の入射端面４ａ側とヒートシンク６とを、互いに一体的に固定されるように構成する。これにより、板状固定部材７とヒートシンク６とにより導光板４が挟持された状態で、ヒートシンク６と導光板４とが固定されるので、ヒートシンク６と導光板４とを安定的に一体的に固定することができる。
【００５４】
第１実施形態では、上記のように、導光板４の入射端面４ａと光源部５との間に配置され、入射端面４ａと光源部５との間の距離を所定間隔に維持するスペーサ部６５と、導光板４の入射端面４ａをスペーサ部６５側に向けて付勢する付勢部材８とを設ける。これにより、光源部５を固定的に保持するヒートシンク６と導光板４の入射端面４ａ側とを板状固定部材７により一体的に固定した状態で、付勢部材８により導光板４の入射端面４ａがスペーサ部６５側に向けて付勢されるので、導光板４の入射端面４ａと光源部５との間の距離を所定間隔に維持するスペーサの機能を確実に発揮させることができる。
【００５５】
第１実施形態では、上記のように、ヒートシンク６に当接する導光板４の面と反対側の導光板４の面に当接し、導光板４の入射端面４ａに沿う方向に延びる板状固定部材７を設け、導光板４に対してヒートシンク６側に押圧力を加えることにより、導光板４の入射端面４ａ側とヒートシンク６とを一体的に固定するように板状固定部材７を構成する。これにより、板状固定部材７を導光板４に対して確実に面接触させることができるので、導光板４の入射端面４ａ側とヒートシンク６との固定状態をより安定化させることができる。
【００５６】
（第２実施形態）
次に、図１、図１２および図１３を参照して、第２実施形態について説明する。この第２実施形態では、板状の板状固定部材７およびねじ９０により、導光板４とヒートシンク６とを一体的に固定した上記第１実施形態と異なり、くさび状の固定スペーサ部材２０７により、導光板４とヒートシンク２０６とを一体的に固定する例について説明する。なお、固定スペーサ部材２０７は、本発明の「固定部材」の一例である。また、上記第１実施形態と同様の構成は、第１実施形態と同じ符号を付して図示するとともに説明を省略する。
【００５７】
図１２および図１３に示すように、第２実施形態によるテレビジョン装置２００（図１参照）は、ヒートシンク２０６と、固定スペーサ部材２０７とを備えている。なお、テレビジョン装置２００は、本発明の「表示装置」の一例である。
【００５８】
ヒートシンク２０６の端部２０６ｃは、導光板４の入射端面４ａ（図１１参照）および入射端面４ａ近傍の上面（前面（Ｙ１方向側の面））を覆うようにＵ字状に形成されている。また、Ｕ字状の端部２０６ｃは、実装基板取付部６２の前方端部（Ｙ１方向端部）から内側（Ｘ１方向側）に延びるように形成されている。また、Ｕ字状の端部２０６ｃの先端は、光源部５に対して前方側（Ｙ１方向側）に配置されている。したがって、Ｕ字状の端部２０６ｃの先端は、光源部５からのＹ１方向への光を反射するリフレクタとして機能するように構成されている。また、ヒートシンク２０６は、実装基板取付部６２の近傍において平板部６１をＹ方向に貫通する開口部２０６ｄ（図１３参照）を有している。また、ヒートシンク２０６は、ねじ９１により実装基板取付部６２の外側（Ｘ２方向側）から光源部５と螺合されるように構成されている。また、図示しないが、開口部２０６ｄは、Ｚ方向に所定距離離間して４つ設けられている。また、ヒートシンク２０６は、第１実施形態とは異なり、スペーサ部を含んではいない。
【００５９】
固定スペーサ部材２０７は、ヒートシンク２０６の開口部２０６ｄに挿入されるように構成されている。また、固定スペーサ部材２０７は、入射端面４ａ側において導光板４のＹ１方向側の前面に係合する第１係合部２０７ａと、平板部６１のＹ２方向側の後面に係合する第２係合部２０７ｂとを有している。第１係合部２０７ａは、前方側（Ｙ１方向側）に配置されている。また、第１係合部２０７ａは、導光板４の前面と係合するように内側（Ｘ１方向側）に突出するように形成されている。第２係合部２０７ｂは、後方側（Ｙ２方向側）に配置されている。また、第２係合部２０７ｂは、上下方向（Ｚ方向）に分かれる二股状に形成されるとともに、ヒートシンク２０６の後面と係合するように上下方向側（Ｚ１方向およびＺ２方向側）のそれぞれに突出するように形成されている。
【００６０】
また、固定スペーサ部材２０７は、ヒートシンク２０６の開口部２０６ｄに挿入されることによって、ヒートシンク２０６に第１係合部２０７ａを係合させるとともに、導光板４に第２係合部２０７ｂを係合させるように構成されている。その結果、固定スペーサ部材２０７は、導光板４の入射端面４ａ側とヒートシンク２０６とを一体的に固定するように構成されている。
【００６１】
また、固定スペーサ部材２０７は、第１係合部２０７ａと第２係合部２０７ｂとを連結するスペーサ部２０７ｃを含んでいる。スペーサ部２０７ｃは、横方向（Ｘ方向）が厚み方向となるように構成されている。また、スペーサ部２０７ｃは、一方面が導光板４の入射端面４ａに当接するとともに、他方面がＬＥＤ５１の実装面５２ａに当接するように構成されている。したがって、固定スペーサ部材２０７は、導光板４の入射端面４ａと光源部５との間の距離を所定距離に維持する部材としても機能するように構成されている。
【００６２】
第２実施形態のその他の構成は、上記第１実施形態と同様である。
【００６３】
第２実施形態では、以下のような効果を得ることができる。
【００６４】
第２実施形態では、上記第１実施形態と同様に、入射端面４ａと光源部５との間の距離を所定間隔に維持した状態で、導光板４の入射端面４ａ側とヒートシンク２０６とを一体的に固定するための固定スペーサ部材２０７を設けることによって、テレビジョン装置２００の光の利用効率を向上させることができる。
【００６５】
第２実施形態では、上記のように、固定スペーサ部材２０７を、ヒートシンク２０６の開口部２０６ｄに挿入することによって、ヒートシンク２０６に第１係合部２０７ａを係合させるとともに、導光板４に第２係合部２０７ｂを係合させることにより、導光板４の入射端面４ａ側とヒートシンク２０６とを一体的に固定するように構成する。これにより、ヒートシンク２０６の開口部２０６ｄに固定スペーサ部材２０７を挿入するだけで、第１係合部２０７ａと第２係合部２０７ｂとが、それぞれヒートシンク２０６と導光板４とに係合するので、ヒートシンク２０６と導光板４とを容易に係合させることができる。また、固定スペーサ部材２０７自体によりヒートシンク２０６と導光板４とが係合されるので、固定スペーサ部材２０７を取り付けるための部材（たとえば、ねじ）を削減することができる。
【００６６】
また、第２実施形態では、上記のように、固定スペーサ部材２０７を、スペーサ部２０７ｃとしても機能するように構成する。これにより、固定スペーサ部材２０７を、スペーサ部２０７ｃとしても機能させることができるので、固定スペーサ部材２０７とスペーサ部２０７ｃとを別個に設ける構成と比較して、部品点数を削減することができる。
【００６７】
また、第２実施形態では、上記のように、ヒートシンク２０６の端部を、導光板４の入射端面４ａおよび入射端面４ａ近傍の上面（前面（Ｙ１方向側の面））を覆うようにＵ字状に形成する。これにより、導光板４の入射端面４ａおよび入射端面４ａ近傍の上面（前面（Ｙ１方向側の面））がＵ字状のヒートシンク２０６の端部２０６ｃにより覆われるので、ヒートシンク２０６の端部２０６ｃを、光源部５からの光を導光板４に向けて反射するリフレクタとしても機能させることができる。これにより、光の利用効率をさらに向上させることができる。
【００６８】
第２実施形態のその他の効果は、上記第１実施形態と同様である。
【００６９】
（第３実施形態）
次に、図１および図１４を参照して、第３実施形態について説明する。この第３実施形態では、導光板４の横方向の２つの両端面（Ｘ１方向側端面およびＸ２方向側端面）のそれぞれに光源部５を設けた上記第１実施形態と異なり、導光板３０４の横方向の１つの端面（Ｘ１方向側端面）にのみ光源部５を設けた例について説明する。なお、上記第１実施形態と同様の構成は、第１実施形態と同じ符号を付して図示するとともに説明を省略する。
【００７０】
図１４に示すように、第３実施形態によるテレビジョン装置３００（図１参照）では、導光板３０４の入射端面４ａが横方向（Ｘ方向）における導光板３０４の一方端面（Ｘ１方向側端面）にのみ設けられている。また、テレビジョン装置３００には、Ｘ１方向の入射端面４ａ側に、光源部５と、ヒートシンク６と、板状固定部材７とが設けられている。また、テレビジョン装置３００には、Ｘ２方向側に、光源部５と、ヒートシンク６と、板状固定部材７とが設けられていない。なお、テレビジョン装置３００は、本発明の「表示装置」の一例である。
【００７１】
第３実施形態のその他の構成は、上記第１実施形態と同様である。
【００７２】
第３実施形態では、以下のような効果を得ることができる。
【００７３】
第３実施形態では、上記第１実施形態と同様に、入射端面４ａと光源部５との間の距離を所定間隔に維持した状態で、導光板３０４の入射端面４ａ側とヒートシンク６とを一体的に固定するための板状固定部材７を設けることによって、テレビジョン装置３００の光の利用効率を向上させることができる。
【００７４】
第３実施形態のその他の効果は、上記第１実施形態と同様である。
【００７５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７６】
たとえば、上記第１〜第３実施形態では、テレビジョン装置に本発明を適用した例を示したが、テレビジョン装置以外の表示装置に本発明を適用してもよい。
【００７７】
また、上記第１〜第３実施形態では、リアフレームの凸状係合部と、導光板の切欠係合部とにより、導光板のＸ方向の位置決めをした例について示したが、本発明はこれに限られない。本発明では、リアフレームと導光板とが、それぞれ凸状係合部と切欠係合部とを備えていなくてもよい。また、リアフレームの凸状係合部と、導光板の切欠係合部とをＸ方向の中央以外の位置に設けてもよい。
【００７８】
また、上記第１〜第３実施形態では、リアフレーム自体が後方から外方に露出する筐体となる例について示したが、本発明はこれに限られない。本発明では、リアフレームの後方からリアフレームを覆う筐体（リアキャビネット）をさらに取り付けてもよい。
【００７９】
また、上記第１および第３実施形態では、板状固定部材により導光板とヒートシンクとを一体的に固定し、上記第２実施形態では、固定スペーサ部材により導光板とヒートシンクとを一体的に固定した例について示したが、本発明はこれに限られない。本発明では、たとえば、ねじにより導光板とヒートシンクとを一体的に固定してもよい。
【００８０】
また、上記第１および第３実施形態では、ヒートシンク、支持部およびスペーサ部を一体とした例について示したが、本発明はこれに限られない。本発明では、ヒートシンク、支持部およびスペーサ部を別体としてもよい。
【符号の説明】
【００８１】
３  リアフレーム
４、３０４  導光板
４ａ  入射端面
５  光源部
６、２０６  ヒートシンク
７  板状固定部材（固定部材）
８  付勢部材
１１  液晶セル
６５  スペーサ部
１００、２００、３００  テレビジョン装置（表示装置）
２０６ｃ  端部
２０６ｄ  開口部
２０７  固定スペーサ部材（固定部材）
２０７ａ  第１係合部
２０７ｂ  第２係合部
２０７ｃ  スペーサ部
【図１】
2015191082.tif 000003
【図２】
2015191082.tif 000004
【図３】
2015191082.tif 000005
【図４】
2015191082.tif 000006
【図５】
2015191082.tif 000007
【図６】
2015191082.tif 000008
【図７】
2015191082.tif 000009
【図８】
2015191082.tif 000010
【図９】
2015191082.tif 000011
【図１０】
2015191082.tif 000012
【図１１】
2015191082.tif 000013
【図１２】
2015191082.tif 000014
【図１３】
2015191082.tif 000015
【図１４】
2015191082.tif 000016